(57)【要約】【課題】足場を設置するスペースがない狭小敷地においても、大掛かりな仮設部材の設置や取り外しを不要としながら、効率的に外壁パネルを取り付けることを可能とした、外壁パネル取り付け金具と、この外壁パネル取り付け金具を用いる外壁パネル取り付け方法を提供すること。【解決手段】梁５０に接合される第一金具１０と第二金具２０が、繋ぎボルト１９により双方の距離を調整自在に接合されて金具ユニット３０を形成し、梁５０に対して間隔を置いて接合される二つの金具ユニット３０により外壁パネル取り付け金具４０が構成され、当接片１２，２２には、外壁パネル６０の取り付けボルト６６が落とし込まれて係合する案内係合溝１６，２６が開設され、固定片１１，２１には長孔である第二ボルト孔１７，２７が開設されており、梁５０から突出する突出ボルト７２が挿通されて、梁５０に対して固定片１１，２１が相対移動自在に固定される。【選択図】図２
2020159161.tif 000002
【特許請求の範囲】
【請求項１】
各階の梁に接合されるとともに、外壁パネルを構成するフレームに取り付けられている取り付けボルトが固定される、外壁パネル取り付け金具であって、
前記梁に接合される固定片と、該固定片に対して直交して前記フレームに当接する当接片と、該固定片及び該当接片に直交する対向片と、を有する第一金具と第二金具が、双方の有する該対向片に開設されている第一ボルト孔に挿通されている繋ぎボルトにより、双方の間の距離を調整自在に接合されて金具ユニットを形成し、
前記梁に対して間隔を置いて接合される二つの前記金具ユニットにより、前記外壁パネル取り付け金具が構成されており、
前記当接片には、下方に向かって徐々に近接する二つのテーパー状の案内部と、該二つの案内部の下端を繋ぐ下方に落ち込んだ係合部とを備えている案内係合溝が開設されており、
前記外壁パネルの隅角部にあるボルトが前記案内係合溝に落とし込まれて係合するようになっており、
前記固定片には第二ボルト孔が開設され、該第二ボルト孔は前記梁の長手方向に長い長孔であり、該長孔に対して前記梁から突出する突出ボルトが挿通され、該梁に対して該固定片が前記長手方向に相対移動自在に固定されるようになっていることを特徴とする、外壁パネル取り付け金具。
【請求項２】
各階の梁に接合されるとともに、外壁パネルを構成するフレームに取り付けられている取り付けボルトが固定される、外壁パネル取り付け金具であって、
前記梁に接合される固定片と、該固定片に対して直交して前記フレームに当接する当接片と、該固定片及び該当接片に直交する対向片と、を有する第一金具と第二金具が、双方の有する該対向片に開設されている第一ボルト孔に挿通されている繋ぎボルトにより、双方の間の距離を調整自在に接合されて金具ユニットを形成し、
前記梁に対して間隔を置いて接合される二つの前記金具ユニットにより、前記外壁パネル取り付け金具が構成されており、
前記当接片には第三ボルト孔が開設され、外壁パネルの有する隅角部にあるパネルボルト孔が該第三ボルト孔に位置合わせされてボルト固定されるようになっており、
前記固定片には第二ボルト孔が開設され、該第二ボルト孔は前記梁の長手方向に長い長孔であり、該長孔に対して前記梁から突出する突出ボルトが挿通され、該梁に対して該固定片が前記長手方向に相対移動自在に固定されるようになっていることを特徴とする、外壁パネル取り付け金具。
【請求項３】
外壁パネル取り付け方法であって、
建物の各階の下方の梁の上面において、請求項１又は請求項２に記載の、外壁パネル取り付け金具が取り付けられており、
二つの前記金具ユニットのうち、一方の該金具ユニットの前記第一金具を前記梁に対して移動不可に固定し、前記第二金具を前記梁に対して移動自在とし、他方の該金具ユニットのうち、一方の該金具ユニット側に位置する前記第一金具を前記梁に対して移動自在とし、前記第二金具を前記梁に対して移動不可に固定し、
重機にて垂下された前記外壁パネルが、前記梁により形成される建物躯体に沿ってスライドし、移動自在な前記第一金具と前記第二金具に係合もしくはボルト固定された後、一方の前記金具ユニットの有する該第一金具と他方の前記金具ユニットの有する該第二金具の移動により該外壁パネルが設置位置に配設され、移動自在な該第一金具と該第二金具を前記梁に対して移動不可に固定することにより、該梁に対して該外壁パネルを固定することを特徴とする、外壁パネル取り付け方法。
【発明の詳細な説明】
【技術分野】
【０００１】
本発明は、外壁パネル取り付け金具と外壁パネル取り付け方法に関する。
【背景技術】
【０００２】
例えば都市部において鉄骨造の建物を施工するに当たり、施工対象の建物の外壁と隣地境界との間には、足場の組立てに十分なスペースがない場合が往々にしてある。あるいは、仮に足場を組むことができたとしても、足場と外壁設置位置との間に外壁パネルが入り込むスペースや、さらには、外壁パネルを設置するためのスペースがない場合がある。
【０００３】
通常、足場と外壁設置位置との間に十分なスペースがある場合は、クレーン等の重機にて吊り上げられた外壁パネルがこのスペースに落とし込まれ、足場上にいる作業員は、外壁パネルをその下方が外壁設置位置側に向くようにして斜め姿勢とし、外壁パネルの下端に取り付けられている取り付けボルトを、各階の外壁設置位置の下方に取り付けられている下方取り付け金具の有する溝に対してまず設置する。そして、この取り付けボルトと溝との係合部を支点として、外壁パネルの上方を外壁設置位置側に起こし、外壁パネルの上方を屋外側から室内側へ面外方向に回動させることにより、外壁パネルの上端に開設されているボルト孔を、外壁設置位置にある上方取り付け金具の有するボルト孔に位置合わせする。双方のボルト孔が位置合わせされることにより貫通孔が形成され、この貫通孔にボルトを挿通し、ナット締めすることにより、外壁パネルの取り付けが行われる。
【０００４】
すなわち、この施工では、外壁パネルの下端が固定されてここを支点として、外壁パネルの上方が屋外側から室内側へ円弧を描いて面外の動きで回動しながら設置されることから、外壁設置位置と足場との間には、ある程度余裕のあるスペースが必要になる。
【０００５】
そこで、上記するように足場を設置するスペースがない狭小敷地においても、外壁パネルを好適に施工することのできる建築方法が提案されている。具体的には、建物の躯体を構成する下階天井梁及び上階天井梁の長手方向に延びるように、それぞれ案内レールを設ける。一方、下階外壁パネル及び上階外壁パネルの上端部には、案内レールに引っ掛けられるハンガーを取り付ける。そして、それぞれのハンガーを各天井梁の案内レールに引っ掛けることにより、各外壁パネルは各天井梁に吊り下げられた状態となる。この吊り下げ状態においてハンガーを案内レールに沿ってスライドさせることにより、各外壁パネルを所定の取り付け位置に移動させる。この取り付け位置において、各外壁パネルを屋内側からボルト等により固定する建築方法である（例えば、特許文献１参照）。
【先行技術文献】
【特許文献】
【０００６】
【特許文献１】特開２００８−１２７９２７号公報
【発明の概要】
【発明が解決しようとする課題】
【０００７】
特許文献１に記載の建築方法によれば、足場を設置するスペースがない狭小敷地においても、外壁パネルを施工することができる。しかしながら、下階天井梁及び上階天井梁の長手方向に延びるようにそれぞれ案内レールを設け、下階外壁パネル及び上階外壁パネルの上端部にそれぞれ案内レールに引っ掛けられるハンガーを取り付け、それぞれのハンガーを各天井梁の案内レールに引っ掛けて各外壁パネルを吊り下げ、ハンガーを案内レールに沿ってスライドさせることから、仮設部材が大掛かりなものとなり、仮設部材の製作コストに関して課題がある。さらに、大掛かりな仮設部材の設置と外壁パネル設置後の仮設部材の取り外しには、多大な手間と時間を要するといった課題がある。
【０００８】
本発明は上記課題に鑑みてなされたものであり、足場を設置するスペースがない狭小敷地においても、大掛かりな仮設部材の設置や取り外しを不要としながら、効率的に外壁パネルを取り付けることを可能とした、外壁パネル取り付け金具と、この外壁パネル取り付け金具を用いる外壁パネル取り付け方法を提供することを目的としている。
【課題を解決するための手段】
【０００９】
前記目的を達成すべく、本発明による外壁パネル取り付け金具の一態様は、
各階の梁に接合されるとともに、外壁パネルを構成するフレームに取り付けられている取り付けボルトが固定される、外壁パネル取り付け金具であって、
前記梁に接合される固定片と、該固定片に対して直交して前記フレームに当接する当接片と、該固定片及び該当接片に直交する対向片と、を有する第一金具と第二金具が、双方の有する該対向片に開設されている第一ボルト孔に挿通されている繋ぎボルトにより、双方の間の距離を調整自在に接合されて金具ユニットを形成し、
前記梁に対して間隔を置いて接合される二つの前記金具ユニットにより、前記外壁パネル取り付け金具が構成されており、
前記当接片には、下方に向かって徐々に近接する二つのテーパー状の案内部と、該二つの案内部の下端を繋ぐ下方に落ち込んだ係合部とを備えている案内係合溝が開設されており、
前記外壁パネルの隅角部にあるボルトが前記案内係合溝に落とし込まれて係合するようになっており、
前記固定片には第二ボルト孔が開設され、該第二ボルト孔は前記梁の長手方向に長い長孔であり、該長孔に対して前記梁から突出する突出ボルトが挿通され、該梁に対して該固定片が前記長手方向に相対移動自在に固定されるようになっていることを特徴とする。
【００１０】
本態様によれば、例えば重機にて垂下された外壁パネルを外壁設置ラインに沿って面内方向（外壁の幅方向）に移動（スライド）させながら、外壁パネルの下方の隅角部に取り付けられている取り付けボルトを、外壁パネル取り付け金具の有する当接片に開設されている、案内係合溝の備えるテーパー状の案内部に沿って下方に案内しながら、案内部の下端に連続する例えば円弧状の係合部に落とし込むことにより、第一金具もしくは第二金具に外壁パネルの下端を係合させることができる。そして、梁に対して第一金具と第二金具の一方を移動不可に固定しておき、他方を移動自在としておき、移動自在な金具を介して外壁パネルを設置位置までスライドさせた後、設置位置にて移動自在であった金具を梁に対して移動不可に固定することにより、狭いスペースにおいても外壁パネルの下端を、外壁パネル取り付け金具を介して梁に効率的に取り付けることができる。
【００１１】
建物のうち、外壁パネルの設置位置にある各階の梁（各階の床梁（階間梁を含む）や土台梁等）の上面の所定位置には、複数の外壁パネル取り付け金具を取り付けておく。この外壁パネル取り付け金具の取り付けは、外壁パネルの幅に相当する離間を有して、外壁パネル取り付け金具を構成する二つの金具ユニットが取り付けられている。この外壁パネル取り付け金具の梁への取り付けは、現場にて行われてもよいし、工場等において予め取り付けておいてもよい。各金具ユニットが第一金具と第二金具を有し、双方の金具がボルトによって双方の間の距離を調整自在に接合され、双方の金具の有する固定片の備える長孔に対して梁から突出する突出ボルトが挿通されていることにより、第一金具と第二金具は梁に対して移動自在となり、かつ双方の間の離間を自在に調整することが可能になる。梁に対して第一金具や第二金具を固定する際は、突出ボルトをナット締めすればよい。
【００１２】
また、本発明による外壁パネル取り付け金具の他の態様は、
各階の梁に接合されるとともに、外壁パネルを構成するフレームに取り付けられている取り付けボルトが固定される、外壁パネル取り付け金具であって、
前記梁に接合される固定片と、該固定片に対して直交して前記フレームに当接する当接片と、該固定片及び該当接片に直交する対向片と、を有する第一金具と第二金具が、双方の有する該対向片に開設されている第一ボルト孔に挿通されている繋ぎボルトにより、双方の間の距離を調整自在に接合されて金具ユニットを形成し、
前記梁に対して間隔を置いて接合される二つの前記金具ユニットにより、前記外壁パネル取り付け金具が構成されており、
前記当接片には第三ボルト孔が開設され、外壁パネルの有する隅角部にあるパネルボルト孔が該第三ボルト孔に位置合わせされてボルト固定されるようになっており、
前記固定片には第二ボルト孔が開設され、該第二ボルト孔は前記梁の長手方向に長い長孔であり、該長孔に対して前記梁から突出する突出ボルトが挿通され、該梁に対して該固定片が前記長手方向に相対移動自在に固定されるようになっていることを特徴とする。
【００１３】
本態様によれば、例えば重機にて垂下された外壁パネルを外壁設置ラインに沿って面内方向に移動させながら、外壁パネルの下方の隅角部に開設されているパネルボルト孔を、外壁パネル取り付け金具の当接片に開設されている第三ボルト孔に位置合わせして連通孔を形成し、連通孔にボルトを挿通してボルト固定することができる。
【００１４】
また、本発明による外壁パネル取り付け方法の一態様は、
建物の各階の下方の梁の上面において、前記外壁パネル取り付け金具が取り付けられており、
二つの前記金具ユニットのうち、一方の該金具ユニットの前記第一金具を前記梁に対して移動不可に固定し、前記第二金具を前記梁に対して移動自在とし、他方の該金具ユニットのうち、一方の該金具ユニット側に位置する前記第一金具を前記梁に対して移動自在とし、前記第二金具を前記梁に対して移動不可に固定し、
重機にて垂下された前記外壁パネルが、前記梁により形成される建物躯体に沿ってスライドし、移動自在な前記第一金具と前記第二金具に係合もしくはボルト固定された後、一方の前記金具ユニットの有する該第一金具と他方の前記金具ユニットの有する該第二金具の移動により該外壁パネルが設置位置に配設され、移動自在な該第一金具と該第二金具を前記梁に対して移動不可に固定することにより、該梁に対して該外壁パネルを固定することを特徴とする。
【００１５】
本態様によれば、例えば重機にて垂下された外壁パネルを外壁設置ラインに沿って面内方向に移動させながら、外壁パネルの下方の隅角部を第一金具もしくは第二金具に係合もしくはボルト固定し、梁に対して第一金具と第二金具の一方を移動不可に固定しておき、他方を移動自在としておき、移動自在な金具を介して外壁パネルを設置位置までスライドさせた後、設置位置にて移動自在であった金具を梁に対して移動不可に固定することにより、狭いスペースにおいても外壁パネルの下端を、外壁パネル取り付け金具を介して梁に効率的に取り付けることができる。
【発明の効果】
【００１６】
以上の説明から理解できるように、本発明の外壁パネル取り付け金具と外壁パネルの取り付け方法によれば、足場を設置するスペースがない狭小敷地においても、大掛かりな仮設部材の設置や取り外しを不要としながら、効率的に外壁パネルを取り付けることができる。
【図面の簡単な説明】
【００１７】
【図１】実施形態に係る外壁パネル取り付け金具を構成する金具ユニットの一例の斜視図である。
【図２】図１に示す二つの金具ユニットが梁の上面に設置されることにより形成される、実施形態に係る外壁パネル取り付け金具の一例の正面図である。
【図３】図２に示す梁の上面に設置された状態の金具ユニットの斜視図である。
【図４】実施形態に係る外壁パネル取り付け金具を構成する金具ユニットの他例の斜視図である。
【図５】外壁パネルの一例を背面斜め方向から見た斜視図である。
【図６】実施形態に係る外壁パネル取り付け方法の一例を説明する図である。
【図７】図６に続いて、実施形態に係る外壁パネル取り付け方法の一例を説明する図である。
【発明を実施するための形態】
【００１８】
以下、実施形態に係る外壁パネル取り付け金具の一例と外壁パネル取り付け方法の一例について、添付の図面を参照しながら説明する。尚、本明細書及び図面において、実質的に同一の構成要素については、同一の符号を付することにより重複した説明を省く場合がある。
【００１９】
［実施形態に係る外壁パネル取り付け金具］
はじめに、図１乃至図３を参照して、実施形態に係る外壁パネル取り付け金具の一例について説明する。ここで、図１は、実施形態に係る外壁パネル取り付け金具を構成する金具ユニットの一例の斜視図である。また、図２は、図１に示す二つの金具ユニットが梁の上面に設置されることにより形成される、実施形態に係る外壁パネル取り付け金具の一例の正面図であり、図３は、図２に示す梁の上面に設置された状態の金具ユニットの斜視図である。
【００２０】
図１に示すように、外壁パネル取り付け金具４０（図２参照）を構成する金具ユニット３０は、第一金具１０及び第二金具２０と、第一金具１０及び第二金具２０を繋ぐ繋ぎボルト１９とを有する。第一金具１０は、梁５０等（図２参照）に接合される固定片１１と、固定片１１に対して直交して外壁パネルフレーム６４（図５参照）に当接する当接片１２と、固定片１１及び当接片１２に直交する対向片１３とを有する。また、第二金具２０は、梁５０等に接合される固定片２１と、固定片２１に対して直交して外壁パネルフレーム６４に当接する当接片２２と、固定片２１及び当接片２２に直交する対向片２３とを有する。
【００２１】
相互に対向する対向片１３，２３にはそれぞれ第一ボルト孔１８，２８が開設されており、第一ボルト孔１８，２８に繋ぎボルト１９が挿通され、繋ぎボルト１９の両端にそれぞれナットが螺合しており、このナットにより、繋ぎボルト１９が第一ボルト孔１８，２８から外れないようになっている。
【００２２】
固定片１１，２１には第二ボルト孔１７，２７が開設されており、第二ボルト孔１７，２７はいずれも、第一金具１０及び第二金具２０が梁５０の上面に設置された際に、梁５０の長手方向に長い長孔である。
【００２３】
当接片１２には、下方に向かって徐々に近接する二つのテーパー状の案内部１４と、二つの案内部１４の下端を繋ぐ円弧状もしくは半トラック状の係合部１５とを備えている案内係合溝１６が開設されている。また、当接片２２には、下方に向かって徐々に近接する二つのテーパー状の案内部２４と、二つの案内部２４の下端を繋ぐ円弧状もしくは半トラック状の係合部２５とを備えている案内係合溝２６が開設されている。
【００２４】
図２及び図３に示すＨ形鋼により形成される梁５０の上方フランジ５１のうち、第二ボルト孔１７，２７に対応する位置にはボルト孔５２が開設されており、上方フランジ５１の下方から座金７１を介してボルト孔５２に挿通された突出ボルト７２は、上方フランジ５１の上面から上方に突出している。そして、上方フランジ５１の上面において、上方に突出する突出ボルト７２が、座金７１を介して双方の第二ボルト孔１７，２７に挿通され、ナット７３により締め付けられるようになっている。
【００２５】
突出ボルト７２に螺合するナット７３を緩めることにより、第一金具１０と第二金具２０は、突出ボルト７２に対して長孔１７，２７の長さ範囲で梁５０の長手方向であるＸ１方向にスライドして、双方の間の距離が調整される。そして、第一金具１０と第二金具２０がそれぞれ所望する位置においてナット７３にて締め付けられることにより、梁５０の上面において第一金具１０と第二金具２０が固定される。以下で詳説する外壁パネル取り付け方法において説明するように、実際には、第一金具１０と第二金具２０の一方のナット７３を締め付けることにより梁５０に対して固定し、他方のナット７３を緩めることにより梁５０に対してスライド自在としておく。ナット７３が緩められている金具の有する案内係合溝に外壁パネルの取り付けボルトが係合された後、スライド自在な一方の金具（例えば第一金具１０）が、梁５０に対して固定されている他方の金具（例えば第二金具２０）までスライドすることにより、外壁パネルを所定位置まで面内方向に移動させることができる。
【００２６】
図２に示すように、梁５０の上方フランジ５１の上面において、二つの金具ユニット３０が外壁パネル６０（図５参照）の幅に相当する離間を有して設置されることにより、外壁パネル取り付け金具４０が形成される。図３に示すように、金具ユニット３０が梁５０に設置された状態において、当接片１２，２２は上方フランジ５１に直交する鉛直方向に延設した姿勢となる。ここで、金具ユニット３０が固定される梁５０には、基礎上に固定される土台梁や、一階と二階の間や、二階と三階の間等における上階の階間梁が含まれる。
【００２７】
図４は、実施形態に係る外壁パネル取り付け金具を構成する金具ユニットの他例の斜視図である。
【００２８】
図４に示すように、金具ユニット３０Ａを構成する第一金具１０Ａと第二金具２０Ａは、第一金具１０及び第二金具２０と同様に、固定片１１，２１と当接片１２，２２、及び対向片１３，２３を有しているが、当接片１２，２２において、案内係合溝１６，２６に代わり第三ボルト孔１５Ａ，２５Ａが開設されている。
【００２９】
第三ボルト孔１５Ａ，２５Ａに対して、外壁パネルの有する隅角部にあるパネルボルト孔（図示せず）がそれぞれ位置決めされ、双方のボルト孔（例えば、第三ボルト孔１５Ａと対応するパネルボルト孔）により形成される連通孔にボルトが螺合されることにより、第一金具１０Ａもしくは第二金具２０Ａと外壁パネルとがボルト固定されるようになっている。
【００３０】
図示を省略するが、図２に示すように、梁５０の上方フランジ５１の上面において、二つの金具ユニット３０Ａが外壁パネル６０（図５参照）の幅に相当する離間を有して設置されることにより、外壁パネル取り付け金具が形成される。
【００３１】
［実施形態に係る外壁パネル取り付け方法］
次に、図５乃至図７を参照して、実施形態に係る外壁パネル取り付け方法の一例について説明する。ここで、図５は、外壁パネルの一例を背面方向から見た斜視図である。また、図６及び図７は順に、実施形態に係る外壁パネル取り付け方法の一例を説明する工程図である。
【００３２】
まず、図５を参照して、施工される外壁パネルの一例について説明する。図示する外壁パネル６０は、井桁状の外壁パネルフレーム６４（フレームの一例）と、外壁パネルフレーム６４に対して縦下地材６４ａを介して固定されている外壁面材６５とを有する。
【００３３】
外壁パネルフレーム６４は、左右一対の縦桟６１と、上下一対の横桟６２と、一対の縦桟６１の間に配設されている中間縦桟６３とを有し、各部材が相互に溶接や釘留め、ビス留め等されることにより形成されている。
【００３４】
外壁面材６５は、サイディング材から形成されており、複数の縦柄目地６５ａと横柄目地６５ｂをその表面に備えている。このサイディング材としては、窯業系サイディング、アルミや鋼板からなる金属系サイディング、天然木を加工してなる木質系サイディング、塩化ビニル樹脂等からなる樹脂系サイディングなどが挙げられる。
【００３５】
縦桟６１の上端近傍には第二ボルト孔６７が開設されており、梁等に接続されている取り付け金具（図示せず）の有するボルト孔に対して第二ボルト孔６７が位置決めされて連通孔を形成した後、固定ボルト６８が連通孔に螺合されるようになっている。
【００３６】
一方、縦桟６１の下端近傍には、取り付けボルト６６が取り付けられている。図示するように、取り付けボルト６６には、一対の円形フランジの間にボルトが配設されており、一方の円形フランジにおいてはこのボルトが貫通して、ボルトの先端が縦桟６１に螺合されるようになっている。一対の円形フランジの間のボルトが、第一金具１０や第二金具２０の有する案内係合溝１６、２６に係合され、その際に、一対の円形フランジは当接片１２，２２を挟むことにより、外壁パネルががたつくことなく、第一金具１０等に固定される。
【００３７】
次に、外壁パネル取り付け方法について説明する。図６及び図７において、梁５０は、例えば一階と二階の間等にある上階の階間梁として説明するが、梁５０は基礎上に固定される土台梁であってもよい。
【００３８】
梁５０の上方フランジ５１の上面には、外壁パネル６０の幅に相当する離間を有して二つの金具ユニット３０が設置されて、外壁パネル取り付け金具４０を形成している。図６において右側にある金具ユニット３０を形成する第二金具２０には、既に外壁パネル６０が係合されている。すなわち、右側にある金具ユニット３０を形成する第二金具２０と、さらに右側にある不図示の別途の外壁パネル取り付け金具４０を形成する第一金具１０において、図６に示す右側の外壁パネル６０の下方の隅角部にある取り付けボルト６６が係合している。
【００３９】
このように、梁５０の上方フランジ５１の上面には、複数の外壁パネル取り付け金具４０が設置され、隣接する外壁パネル取り付け金具４０の有する一方の金具ユニット３０の第一金具１０と、他方の外壁パネル取り付け金具４０の有する一方の金具ユニット３０の第二金具２０とにより、一つの外壁パネル６０の下端が係合される。さらに、一つの外壁パネル取り付け金具４０の有する一方の金具ユニット３０の第一金具１０と、他方の金具ユニット３０の第二金具２０とにより、他の一つの外壁パネル６０の下端が係合される。ここで、梁５０の上面には、例えば右側から外壁パネル６０の幅に相当する離間を有して、複数の金具ユニット３０が設置されるが、隣接する外壁パネル取り付け金具４０は、一つの金具ユニット３０を共有している。例えば、図６における右側の金具ユニット３０は、さらに右側にある不図示の金具ユニット３０とともに外壁パネル取り付け金具４０を形成し、図示する左側の金具ユニット３０とともに別途の外壁パネル取り付け金具４０を形成する。
【００４０】
図６に示す右側の金具ユニット３０では、既に外壁パネル６０の下端が係合されている第二金具２０は、ナット７３が締め付けられることにより梁５０に移動不可に固定されている。一方、その横にある第一金具１０のナット７３は緩んでおり、従って、第一金具１０は梁５０に対してＸ１方向に移動自在となっている。
【００４１】
一方、図６に示す左側の金具ユニット３０では、第一金具１０は、ナット７３が締め付けられることにより梁５０に移動不可に固定されており、その横にある第二金具２０は、ナット７３が緩んでおり、従って、第二金具２０は梁５０に対してＸ１方向に移動自在となっている。
【００４２】
このように、次に外壁パネル６０が係合される一方の金具ユニット３０の第一金具１０と他方の金具ユニット３０の第二金具２０を、梁５０に対して移動自在な状態とし、相手方の金具を梁５０に対して移動不可に固定する。そして、図６に示すように、重機（図示せず）にて垂下された外壁パネル６０を、上下の梁５０等の建物躯体に沿って、外壁の幅方向（面内方向）であるＺ１方向にスライドさせることにより、正面視矩形の外壁パネル６０の有する四つの隅角部のうち、下方の隅角部にある取り付けボルト６６が、梁５０に対して移動自在な左右にある第一金具１０と第二金具２０の有するそれぞれの案内係合溝１６，２６に係合される。具体的には、外壁パネル６０が降下されつつ外壁の幅方向にＹ１方向にスライドされ、案内部１４，２４に沿ってＹ２方向に案内され、案内部１４，２４から係合部１５，２５にＹ３方向に落とし込まれることにより、取り付けボルト６６がそれぞれの案内係合溝１６，２６に係合される。
【００４３】
外壁パネル６０がそれぞれの案内係合溝１６，２６に係合された後、梁５０に対して移動自在な一方の金具ユニット３０の第一金具１０と他方の金具ユニット３０の第二金具２０を面内方向に移動させる。そして、図６における右側の金具ユニット３０の第一金具１０と第二金具２０の対向片１３，２３を当接させ、第一金具１０のナット７３を締め付けて第一金具１０を梁５０に対して移動不可に固定することにより、図７に示すように既に取り付けられている外壁パネル６０の側方に新たな外壁パネル６０が取り付けられる。
【００４４】
この取り付け状態において、実際には、左側の金具ユニット３０の第一金具１０と第二金具２０は大きく離れた状態となっている。図７は、左側の金具ユニット３０において、梁５０に固定されていた第一金具１０のナット７３を緩めて第一金具１０を移動可能な状態とし、一方で、移動可能な状態となっていた第二金具２０のナット７３を締め付けて移動不可な状態とし、第一金具１０を移動させて第一金具１０と第二金具２０の対向片１３，２３を当接させた状態を示している。
【００４５】
このように、図７では、左側の金具ユニット３０の第一金具１０が梁５０に対して移動可能な状態となっており、この第一金具１０と、さらに左側にある不図示の金具ユニット３０の有する移動可能な状態の第二金具２０との間に、図６と同様に別途の外壁パネル６０が係合されることになる。
【００４６】
このように、外壁パネル取り付け金具４０を用いた外壁パネルの取り付け方法によれば、梁５０に対して外壁の幅方向から外壁パネル６０をスライドさせながら設置することができる。そのため、足場を設置するスペースがない狭小敷地においても、効率的に外壁パネルを取り付けることができる。
【００４７】
また、各図からも明らかなように、外壁パネル取り付け金具４０を構成する金具ユニット３０は、比較的シンプルな構成であり、かつその寸法も大きなものとはならないことから、製作コストも安価になる。
【００４８】
さらに、外壁パネル取り付け金具４０は、仮設部材であると同時に本設部材でもあることから、外壁パネル設置後にその取り外しは不要である。
【００４９】
尚、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【００５０】
１０，１０Ａ：第一金具、１１：固定片、１２：当接片、１３：対向片、１４：案内部、１５：係合部、１５Ａ：第三ボルト孔、１６：案内係合溝、１７：第二ボルト孔（長孔）、１８：第一ボルト孔、１９：繋ぎボルト、２０，２０Ａ：第二金具、２１：固定片、２２：当接片、２３：対向片、２４：案内部、２５：係合部、２５Ａ：第三ボルト孔、２６：案内係合溝、２７：第二ボルト孔（長孔）、２８：第一ボルト孔、３０，３０Ａ：金具ユニット、４０：外壁パネル取り付け金具、５０：梁（Ｈ形鋼）、５１：上方フランジ、６０：外壁パネル、６１：縦桟、６２：横桟、６３：中間縦桟、６４：外壁パネルフレーム（フレーム）、６４ａ：縦下地材、６５：外壁面材、６５ａ：縦柄目地、６５ｂ：横柄目地、６６：取り付けボルト、６７：パネルボルト孔、６８：固定ボルト、７１：座金、７２：突出ボルト、７３：ナット
【図１】
2020159161.tif 000003
【図２】
2020159161.tif 000004
【図３】
2020159161.tif 000005
【図４】
2020159161.tif 000006
【図５】
2020159161.tif 000007
【図６】
2020159161.tif 000008
【図７】
2020159161.tif 000009